(57)【特許請求の範囲】
【請求項１】
大気中に飛散している塩分を捕獲可能である素材が筒状に保持された塩分捕獲体と、
前記塩分捕獲体を収容し、前記塩分捕獲体に導風する導風口が設けられた箱と、
前記箱を鉛直軸周りに回転可能に支持する回転支持部と、
前記箱の前記導風口の反対側に設けられ、前記導風口を風上に向ける尾翼とを備え、
前記塩分捕獲体は、鉛直軸周りに回転しないように構成されている飛散塩分捕獲装置。
【請求項２】
前記箱の前記導風口の反対側には、風を前記箱の外へ通過させる排気口が設けられている請求項１に記載の飛散塩分捕獲装置。
【請求項３】
前記排気口には、風を整流する整流部が設けられている請求項２に記載の飛散塩分捕獲装置。
【請求項４】
前記塩分捕獲体が、
通気性を有する前記素材と、
前記素材が巻き付けられ、網状に設けられた筒体と、を有し、
前記筒体は鉛直軸周りに回転しないように構成されている請求項１から３の何れか１項に記載の飛散塩分捕獲装置。
【請求項５】
前記素材の中心軸が鉛直方向に延びている請求項１から４の何れか１項に記載の飛散塩分捕獲装置。
【請求項６】
前記箱の底部には開口が設けられ、
前記回転支持部は、
前記箱の底部に対して非一体で設けられ、前記塩分捕獲体が前記開口を通して取り付けられた非回転部と、
前記非回転部の周りで回転可能に、前記箱の底部に対して一体で設けられた回転部とを備える請求項１から請求項５の何れか１項に記載の飛散塩分捕獲装置。
【請求項７】
前記塩分捕獲体は、着脱可能かつ鉛直軸周りに周り止めされた状態で前記非回転部に取り付けられている請求項６に記載の飛散塩分捕獲装置。
【請求項８】
前記導風口はルーバーである請求項１から請求項７までの何れか１項に記載の飛散塩分捕獲装置。
【発明の詳細な説明】
【技術分野】
【０００１】
本発明は、飛散塩分量を測定するために大気中に飛散している塩分を捕獲する飛散塩分捕獲装置に関する。
【背景技術】
【０００２】
送電系統の絶縁碍子や鉄塔等の海塩粒子による塩害の予測を行うために、大気中に飛散している塩分（以下、単位体積あたりに含まれる塩分を気中塩分量、これに風速を乗じたものを飛散塩分量という）の量（飛散塩分量）を測定する必要があり、そのためには、大気中に飛散している塩分を捕獲する必要がある。ＪＩＳ  Ｚ２３８２で規定されているドライガーゼ法は、窓が空いた木枠にガーゼをはめ込んで雨に濡れない風通しの良い場所に設置し、ガーゼに付着した塩分の量を測定するというものである。【０００３】
また、特許文献１に記載の気中塩分測定方法は、外気を吸引して水に溶解させ、水溶液の伝導度に基づいて塩分量を測定するというものである。さらに、特許文献２に記載の塩害予測装置は、金属製で面状の試料、該試料に風を導入する導入部、及び垂直尾翼が、鉛直軸周りに回転可能に支持され、風を受けた垂直尾翼の動きにより、導入部が風向きにかかわらず常に風上を向いて塩分を含んだ風を試料に導くというものである。
【先行技術文献】
【特許文献】
【０００４】
【特許文献１】特開２０１１−３８９５６号公報
【特許文献２】特開２０１２−１９４１５２号公報
【発明の概要】
【発明が解決しようとする課題】
【０００５】
特許文献１に記載の気中塩分捕獲装置では、風速に関わらず空気の吸引量が一定であることから、飛散塩分量を求めるためには風速を測定してその測定値に基づいて計算を行う必要がある。また、上記ドライガーゼ法では、雨の影響を受けないようにするために、屋根のある環境に設置したり、百葉箱内に設置したりしなければならないが、特定方向からの飛散塩分しか捕獲できない。【０００６】
また、特許文献２に記載の塩害予測装置は、面状の試料が導入部とともに回転するため、異なる方向から導入した飛散塩分が試料の同じ箇所に付着する。従って、飛来方向毎に飛散塩分量を測定することができない。【０００７】
本発明は、上記事情に鑑みてなされたものであり、風速に応じた量の塩分を捕獲できると共に、その塩分量を飛来方向毎に測定できる飛散塩分捕獲装置を提供することを課題とするものである。
【課題を解決するための手段】
【０００８】
本発明に係る飛散塩分捕獲装置は、大気中に飛散している塩分を捕獲可能である素材が筒状に保持された塩分捕獲体と、前記塩分捕獲体を収容し、前記塩分捕獲体に導風する導風口が設けられた箱と、前記箱を鉛直軸周りに回転可能に支持する回転支持部と、前記箱の前記導風口の反対側に設けられ、前記導風口を風上に向ける尾翼とを備え、前記塩分捕獲体は、鉛直軸周りに回転しないように構成されている。【０００９】
前記箱の前記導風口の反対側には、風を前記箱の外へ通過させる排気口が設けられてもよい。また、前記排気口には、風を整流する整流部が設けられてもよい。
前記塩分捕獲体が、通気性を有する前記素材と、前記素材が巻き付けられ、網状に設けられた筒体と、を有し、前記筒体は鉛直軸周りに回転しないように構成されてもよい。
前記素材の中心軸が鉛直方向に延びてもよい。
前記飛散塩分捕獲装置において、前記箱の底部には開口が設けられ、前記回転支持部は、前記箱の底部に対して非一体で設けられ、前記塩分捕獲体が前記開口を通して取り付けられた非回転部と、前記非回転部の周りで回転可能に、前記箱の底部に対して一体で設けられた回転部とを備えてもよい。
【００１０】
前記飛散塩分捕獲装置において、前記塩分捕獲体は、着脱可能かつ鉛直軸周りに周り止めされた状態で前記非回転部に取り付けられてもよい。【００１２】
前記飛散塩分捕獲装置において、前記導風口はルーバーであってもよい。
【発明の効果】
【００１３】
本発明によれば、風速に応じた量の塩分を捕獲できると共に、その塩分量を飛来方向毎に測定できる。
【図面の簡単な説明】
【００１４】
【図１】一実施形態に係る飛散塩分捕獲装置を示す斜視図である。
【図２】一実施形態に係る飛散塩分捕獲装置を示す斜視図である。
【図３】一実施形態に係る飛散塩分捕獲装置を示す縦断面図である。
【図４】一実施形態に係る飛散塩分捕獲装置を示す横断面図である。
【図５】一実施形態に係る飛散塩分捕獲装置の作用を示す横断面図である。
【発明を実施するための形態】
【００１５】
以下、図面を参照しながら、本発明を実施するための形態を説明する。図１及び図２は、一実施形態に係る飛散塩分捕獲装置１０を示す斜視図であり、図３及び図４は、飛散塩分捕獲装置１０を示す縦断面図である。これらの図に示すように、飛散塩分捕獲装置１０は、百葉箱１と、百葉箱１内に設置された塩分捕獲体２０と、百葉箱１を鉛直軸周りに回転可能に支持する回転支持部３０と、百葉箱１と一体化された尾翼４０とを備えている。
【００１６】
百葉箱１は、縦長かつ奥行きが深い直方体状の箱であり、奥行き方向の一方の面（以下、前面という）にルーバー２が設けられ、他方の面（以下、背面という）に整流部３が設けられている。ルーバー２は、奥側へかけて上側に傾斜する整流板が縦に並んだ構成であり、整流部３は、水平な板が縦横の格子状に並んだ構成である。また、百葉箱１の側面には、塩分捕獲体２０を箱内に出し入れするための扉４が設けられている。さらに、百葉箱１の底面の中央部には、後述の軸部２４Ｄを挿通する孔５が形成されている。
【００１７】
塩分捕獲体２０は、通気性を有し、飛散する塩分を捕獲可能であるガーゼ２２と、ガーゼ２２が巻き付けられた円筒形状のガーゼホルダー２４とを備えている。ガーゼホルダー２４は、網状の円筒体２４Ａと、円筒体２４Ａの上下両端を閉塞する円板状の蓋部２４Ｂ、２４Ｃと、蓋部２４Ｃの中心から下方に延びる軸部２４Ｄとを備えている。上側の蓋部２４Ｂには、方位を示すＮ、Ｅ、Ｓ、Ｗの文字が９０°の間隔で付されている。また、軸部２４Ｄの下端の断面形状は矩形状となっている。
【００１８】
回転支持部３０は、円盤３２と、回転盤３４とを備えている。円盤３２の上面の中心部には円状の凸部３２Ａが設けられ、この凸部３２Ａの中心には、軸部２４Ｄの下端を嵌め込むための矩形状の孔３２Ｂが形成されている。また、回転盤３４は、中心に円孔３４Ａが形成された円盤であり、円盤３２の上に配され、ベアリング３６を介して凸部３２Ａに回転可能に連結されている。この回転盤３４は、百葉箱１の底面と一体化されており、これにより、百葉箱１は、回転支持部３０によって鉛直軸周りに回転可能に支持されている。
【００１９】
ここで、円盤３２及び回転盤３４の中心と百葉箱１の底面の中央部との位置が上下に重なるように、百葉箱１と回転支持部３０との位置関係が設定されており、塩分捕獲体２０の軸部２４Ｄの下端は、百葉箱１の底面の中央部の孔５を通して凸部３２Ａの中心の孔３２Ｂに嵌め込まれている。従って、百葉箱１が回転盤３４と共に回転した際に、塩分捕獲体２０は、百葉箱１の回転中心において停止したままとなる。
【００２０】
尾翼４０は、百葉箱１の背面側に後方斜め上側へ張り出すように設けられている。この尾翼４０は、百葉箱１の幅方向（正面視の横方向）の中央部に垂直に配されており、風を受けている状態では、百葉箱１の前面を風向きにかかわらず常に風上に向ける。
【００２１】
ところで、飛散塩分としての海塩粒子は、海上で発生して風によって陸上に飛来するが、季節風の風向きや、台風の進路等によって飛来方向は変化する。また、地形によって飛来距離も変化する。さらに、凍結防止剤に含まれる塩分が飛来することもある。このように、飛散塩分が飛来する要因は様々であるが、その要因を判断するためには、飛来方向を知る必要がある。
【００２２】
そこで、図５に示すように、本実施形態に係る飛散塩分捕獲装置１０では、百葉箱１は、風を受けた尾翼４０の動きによりルーバー２が風向きにかかわらず常に風上を向くのに対して、百葉箱１内の円筒状の塩分捕獲体２０は、百葉箱１の回転中心において停止したままとなるように構成している。これによって、塩分が飛来方向に応じてガーゼ２２の異なる箇所に付着するため、ガーゼ２２の塩分の付着量を測定する範囲を周方向に分割することで、飛来方向毎に塩分の付着量を測定することができる。
【００２３】
ここで、本実施形態に係る飛散塩分捕獲装置１０では、塩分捕獲体２０を前面にルーバー２が設けられた百葉箱１内に設置したことにより、塩分捕獲体２０に、設置場所の屋根の有無にかかわらず雨の影響を受けることがないように、風速に応じた量の塩分を付着させることができる。
【００２４】
以上により、本実施形態に係る飛散塩分捕獲装置１０によれば、設置場所の屋根の有無にかかわらず雨の影響を受けることなく、風向や風速を測定することなく、飛来方向毎に飛散塩分量を測定することができる。
【００２５】
また、本実施形態に係る飛散塩分捕獲装置１０では、百葉箱１の底部に孔５が設けられ、凸部３２Ａが百葉箱１の底部に対して非一体で設けられ、塩分捕獲体２０が孔５を通して凸部３２Ａに取り付けられ、さらに、回転盤３４が凸部３２Ａの周りで回転可能に、百葉箱１の底部に対して一体で設けられている。これによって、百葉箱１を鉛直軸周りに回転させるのに対して、塩分捕獲体２０を鉛直軸周りに回転させずに停止させることができる。
【００２６】
また、塩分捕獲体２０を、凸部３２Ａに着脱可能かつ鉛直軸周りに周り止めされた状態で取り付けることができる。これによって、塩分捕獲体２０が設置後に回転して飛来方向毎の塩分付着量が不明になることを防止できる。
【００２７】
また、百葉箱１のルーバー２の反対側には、風を整流しつつ百葉箱１の外へ通過させる整流部３が設けられている。これによって、塩分捕獲体２０に導入する風の流れを安定させることができ、塩分捕獲体２０で安定的に飛散塩分を捕獲することができる。
【００２８】
以上、本発明を実施するための形態について説明したが、上記実施形態は本発明の理解を容易にするためのものであり、本発明を限定して解釈するためのものではない。本発明はその趣旨を逸脱することなく変更、改良され得るとともに、本発明にはその等価物も含まれる。例えば、上記実施形態では、塩分捕獲体２０を円筒状としたが角筒状等の他の筒形状としてもよい。
【００２９】
また、塩分捕獲体２０を円盤３２の凸部３２Ａに支持するための軸部２４Ｄを、ガーゼホルダー２４と一体として凸部３２Ａに着脱可能に取り付けたが、凸部３２Ａと一体としてガーゼホルダー２４に着脱可能に取り付けてもよい。
【符号の説明】
【００３０】
１  百葉箱、２  ルーバー、３  整流部、４  扉、５  孔、１０  飛散塩分捕獲装置、２０  塩分捕獲体、２２  ガーゼ、２４  ガーゼホルダー、２４Ａ  円筒体、２４Ｂ  蓋部、２４Ｃ  蓋部、２４Ｄ  軸部、３０  回転支持部、３２  円盤、３２Ａ  凸部、３２Ｂ  孔、３４  回転盤、３４Ａ  円孔、３６  ベアリング、４０  尾翼
【図１】
0005844498.tif 000002
【図２】
0005844498.tif 000003
【図３】
0005844498.tif 000004
【図４】
0005844498.tif 000005
【図５】
0005844498.tif 000006